(57)【要約】【課題】接続前に情報端末に構成された操作手段と実際の資源供給手段と端末機器との接続状態と異なる場合でも誤った操作を行うことをさせない。【解決手段】情報端末２と、端末機器５、６と、情報端末２に資源供給手段制御通信手段により接続されかつ端末機器からの操作に基づいて端末機器に対する資源を供給する資源供給手段４とからなり、情報端末２は端末機器５の操作を行う操作手段を持つとともに、操作手段を構成する操作手段構成手段を持ち、情報端末２と資源供給手段４とが資源供給手段制御通信手段を介して通信できない状態において操作手段構成手段により操作手段を構成した場合には、情報端末と資源供給手段とが通信可能となった時点で資源供給手段４の持つ情報を取得して情報端末２に構成された操作手段の操作の可否を判定する。【選択図】図１
2005180837.tif 000002
【特許請求の範囲】
【請求項１】
建て屋に設けられた情報端末と、前記情報端末が設置された建て屋内の異なる場所に設置された端末機器と、前記情報端末と資源供給手段制御通信手段により接続されかつ前記端末機器からの操作に基づいて端末機器に対する資源を供給する資源供給手段とからなり、前記情報端末は前記端末機器の操作を行う操作手段を持つとともに、前記操作手段を構成する操作手段構成手段を持ち、前記情報端末と前記資源供給手段とが資源供給手段制御通信手段を介して通信できない状態において前記操作手段構成手段により操作手段を構成した場合には、前記情報端末と前記資源供給手段とが通信可能となった時点で資源供給手段の持つ端末機器の接続情報を取得して前記情報端末に構成された操作手段の操作の可否を判定することを特徴とする資源供給システム。
【請求項２】
操作手段構成手段は、情報端末と資源供給手段とが通信し情報端末が資源供給手段の持つ接続情報を取得したときに、あらかじめ構成された操作手段と取得した接続情報から得られた実際の資源供給手段または端末機器の接続状態が異なっていた場合に報知を行う請求項１に記載の資源供給システム。
【請求項３】
端末機器は複数あり、あらかじめ構成された操作手段と取得した接続情報から得られた実際の資源供給手段または端末機器の接続状態が異なっていた場合に、操作手段構成手段は異なっている端末を報知する請求項２に記載の資源供給システム。
【請求項４】
操作手段構成手段は、情報端末と資源供給手段とが通信し情報端末が端末機器の接続情報を取得したときに、あらかじめ構成された操作手段と実際の資源供給手段または端末機器の接続状態が異なっていた場合に、設定された内容のうち少なくとも異なっている端末機器の操作を不可とする請求項１または２に記載の資源供給システム。
【請求項５】
操作手段構成手段は、情報端末と資源供給手段とが通信し情報端末が端末機器の接続情報を取得したときに、あらかじめ構成された操作手段と実際の資源供給手段または端末機器の接続状態が異なっていた場合に、設定された内容のうち少なくとも異なっている部分を消去または修正する請求項２に記載の資源供給システム。
【請求項６】
接続情報は端末機器の種類の情報を含み、操作手段構成手段は操作手段に設定された端末機器の種類と実際に資源供給手段に接続された端末機器の種類とが異なっていた場合に、あらかじめ構成された操作手段と実際の資源供給手段または端末機器の接続状態が異なっていると判定する請求項２ないし５のいずれか１項に記載の資源供給システム。
【請求項７】
資源供給手段に接続される端末機器は複数あり、接続情報は資源供給手段が複数の端末機器から端末機器を特定するための接続位置情報を含み、操作手段構成手段は操作手段に設定された資源供給手段の接続位置に端末機器が存在しない場合に、あらかじめ構成された操作手段と実際の資源供給手段または端末機器の接続状態が異なっていると判定する請求項２ないし５のいずれか１項に記載の資源供給システム。
【請求項８】
資源供給手段に接続される端末機器は複数あり、接続情報は端末機器に固有の機器情報を含み、操作手段構成手段は操作手段に設定された端末機器の機器情報と接続情報から取得した端末機器の機器情報が異なる場合に、あらかじめ構成された操作手段と実際の資源供給手段または端末機器の接続状態が異なっていると判定する請求項２ないし５のいずれか１項に記載の資源供給システム。
【請求項９】
請求項１〜８のいずれか１項記載の資源供給システムの少なくとも一部をコンピュータに実現させるためのプログラム。
【発明の詳細な説明】
【技術分野】
【０００１】
本発明は温水や電力、ガス、水などの資源を端末機器に供給する資源供給システムおよびそのプログラムに関し、特に端末機器を遠隔に操作するものである。
【背景技術】
【０００２】
従来の資源供給システムについて説明する。従来の資源供給システムのひとつである温水給湯暖房システムでは、例えば下記特許文献１では以下のようになっていた。図１５に従来の資源供給システムのフローチャートを示す。
【０００３】
この従来例では、資源供給手段として給湯器、台所リモコン、複数個の端末機器からなり、複数個の端末機器と台所リモコンとの接続が完了（１０１）した場合に端末機器側から台所リモコンに対し一定時間間隔で信号を出力（１０２））し、台所リモコンがこの信号を受信し、端末機器を認識する（１０３）と台所リモコンの表示部に機器に対応するアイコンや文字情報を表示する（１０４）とともに、台所リモコン側から端末機器に対して信号を出力する（１０５）。この結果、端末機器を接続したときその接続した機器であることを認識することができる。
【特許文献１】特開２０００―２９２００６号公報
【発明の開示】
【発明が解決しようとする課題】
【０００４】
しかしながら、前記従来の構成では、操作手段を自動で構成する手段が無く、家々により異なる端末機器の構成に対し最適な操作手段を構成するために画面配置や端末機器の名称、機器を直感的に判るようにするためのアイコンの選択、端末機器を設置する部屋の名称など一つ一つ手で入力設定する必要があり、大変な手間がかかるという課題を有していた。また、入力作業の効率を上げるためには情報端末を実際に設置する前にあらかじめこれらの入力設定をしておくことが大変有効であるが、資源供給手段との接続前に事前に入力設定した場合、入力設定の間違いや設定した情報端末の取り違えなどにより実際の資源供給手段または端末機器の接続状態と異なってしまうことも多く、その場合、端末機器を操作できなかったり、想定した操作と異なる操作をしてしまうという課題があった。
【０００５】
本発明は、前記従来の課題を解決するもので、資源供給手段から取得した情報を用いて情報端末に構成された操作手段の操作の可否を判定することができる資源供給システムを提供することを目的とする。
【課題を解決するための手段】
【０００６】
前記従来の課題を解決するために、本発明の資源供給システムおよびそのプログラムは、前記情報端末と資源供給手段とが資源供給手段制御通信手段を介して通信できない状態において操作手段構成手段により操作手段を構成した場合には、前記情報端末と資源供給手段とが通信可能となった時点で資源供給手段の持つ情報を取得して情報端末に構成された操作手段の操作の可否を判定するものである。
【０００７】
これによって、情報端末と資源供給手段とが資源供給手段制御通信手段を介して通信できない状態において操作手段構成手段により操作手段を構成した場合には、前記情報端末と資源供給手段とが通信可能となった時点で資源供給手段の持つ端末機器の接続情報を取得して情報端末に構成された操作手段の操作の可否を判定することができる。
【発明の効果】
【０００８】
本発明の資源供給手段およびそのプログラムは、情報端末が資源供給手段の情報を取得できない状態で構成された操作手段と、実際の資源供給手段または端末機器の接続状態が異なっていた場合でも誤った操作を行うことがない資源供給システムを提供することができる。
【発明を実施するための最良の形態】
【０００９】
第１の発明は建て屋に設けられた情報端末と、前記情報端末が設置された建て屋内の異なる場所に設置された端末機器と、前記情報端末と資源供給手段制御通信手段により接続されかつ端末機器からの操作に基づいて端末機器に対する資源を供給する資源供給手段とからなり、前記情報端末は端末機器の操作を行う操作手段を持つとともに、前記操作手段を構成する操作手段構成手段を持ち、前記情報端末と資源供給手段とが資源供給手段制御通信手段を介して通信できない状態において操作手段構成手段により操作手段を構成した場合には、前記情報端末と資源供給手段とが通信可能となった時点で資源供給手段の持つ端末機器の接続情報を取得して情報端末に構成された操作手段の操作の可否を判定することを特徴とすることにより、情報端末が資源供給手段の情報を取得できない状態で端末機器を操作する操作手段を構成し、資源供給手段と通信可能となった時点で取得した端末機器の接続情報を用いて端末機器を操作する操作手段の操作の可否を判定することになり、接続前に情報端末に構成された操作手段が実際の資源供給手段と端末機器との接続状態と異なる場合でも、情報端末の操作手段に実際の接続状態を反映させることができ、誤った操作を行うことがないようにできる。
【００１０】
第２の発明は、操作手段構成手段が、情報端末と資源供給手段とが通信し情報端末が資源供給手段の情報を取得したときに、あらかじめ構成された操作手段と取得した情報から得られた実際の資源供給手段または端末機器の接続状態が異なっていた場合に報知を行うようにすることにより、情報端末が資源供給手段の情報を取得できない状態で構成した操作手段と、資源供給手段から取得した資源供給手段の情報により得られた資源供給手段または端末機器の接続状態とが異なり、操作手段から端末機器の正しい操作ができない場合に報知を行うことになり、情報端末と資源供給手段とが接続されたときに、操作手段から端末機器の正しい操作ができないことを即座に知るようにすることができる。
【００１１】
第３の発明は端末機器は複数あり、あらかじめ構成された操作手段と取得した情報から得られた実際の資源供給手段または端末機器の接続状態が異なっていた場合に、操作手段構成手段は異なっている端末を報知するようにすることにより、端末機器が複数ある場合に、複数の端末機器の中からあらかじめ構成された操作手段と実際の資源供給手段と端末機器とで接続状態が異なっている端末機器を報知することになり、複数の端末のうち接続状態が異なっている端末を即座を即座に知るようにすることができる。
【００１２】
第４の発明は、操作手段構成手段が、情報端末と資源供給手段とが通信し情報端末が端末機器の接続情報を取得したときに、あらかじめ構成された操作手段と実際の資源供給手段または端末機器の接続状態が異なっていた場合に、設定された内容のうち少なくとも異なっている部分を消去するようにすることにより、情報端末が資源供給手段の情報を取得できない状態で構成した操作手段と、資源供給手段から取得した接続情報により得られた端末機器の接続状態とが異なっていた場合に、設定された内容のうち少なくとも異なっている部分を消去することになり、操作手段と接続状態が異なっている場合に操作手段から操作できないので、誤った操作をすることがない。
【００１３】
第５の発明は、操作手段構成手段が、情報端末と資源供給手段とが通信し情報端末が端末機器の接続情報を取得したときに、あらかじめ構成された操作手段と実際の資源供給手段または端末機器の接続状態が異なっていた場合に、設定された内容のうち異なっている部分を修正することにより、操情報端末が資源供給手段の情報を取得できない状態で構成した操作手段と、資源供給手段から取得した接続情報により得られた端末機器の接続状態とが異なっていた場合に、設定された内容のうち異なっている部分を修正することになり、操作手段と接続状態が異なっている場合でも操作手段から正しい操作をすることができる。
【００１４】
また、操作手段構成手段が、情報端末と資源供給手段とが通信し情報端末が資源供給手段と端末機器との接続情報を取得したときに、あらかじめ構成された操作手段と実際の資源供給手段と端末機器との接続状態が異なっていた場合に、設定された内容のうち少なくとも異なっている端末機器の操作を不可とすることにより、情報端末が資源供給手段の情報を取得できない状態で構成した操作手段と、資源供給手段から取得した資源供給手段の情報により得られた資源供給手段または端末機器の接続状態とが異なっていた場合に、設定された内容のうち少なくとも異なっている端末機器の操作を不可とすることになり、操作手段と接続状態が異なっている場合に操作手段から操作できないので、誤った操作をすることがない。
【００１５】
第６の発明は、接続情報が端末機器の種類の情報を含み、操作手段構成手段は操作手段に設定された端末機器の種類と実際に資源供給手段に接続された端末機器の種類とが異なっていた場合に、あらかじめ構成された操作手段と実際の資源供給手段または端末機器の接続状態が異なっていると判定することにより、情報端末が資源供給手段の情報を取得できない状態で構成した操作手段において設定された端末機器の種類と、情報端末が資源供給手段の情報を取得して実際に資源供給手段に接続されている端末機器の種類とが異なっていた場合に、あらかじめ構成された操作手段と実際の資源供給手段または端末機器の接続状態が異なっていると判定することになり、端末機器の種類が異なっている場合に端末機器から資源供給手段に誤った操作を指示することがない。
【００１６】
第７の発明は、資源供給手段に接続される端末機器が複数あり、接続情報は資源供給手段が複数の端末機器から端末機器を特定するための接続位置情報を含み、操作手段構成手段は操作手段に設定された資源供給手段の接続位置に端末機器が存在しない場合に、あらかじめ構成された操作手段と実際の資源供給手段または端末機器の接続状態が異なっていると判定することにより、情報端末が資源供給手段の情報を取得できない状態で構成した操作手段において設定された資源供給手段の接続位置に、実際に端末機器が存在しない場合に、あらかじめ構成された操作手段と実際の資源供給手段と端末機器との接続状態が異なっていると判定することになり、情報端末と資源供給手段が接続されたときに、指定された接続位置に端末機器が接続されていない場合に、操作手段から操作する端末機器がないことが即座に判明するようにできる。
【００１７】
第８の発明は、資源供給手段に接続される端末機が複数あり、接続情報は端末機器に固有の機器情報を含み、操作手段構成手段は操作手段に設定された端末機器の機器情報と接続情報から取得した端末機器の機器情報が異なる場合に、あらかじめ構成された操作手段と実際の資源供給手段または端末機器の接続状態が異なっていると判定することにより、情報端末が資源供給手段の情報を取得できない状態で構成した操作手段において設定された端末機器の固有の機器情報と、実際に資源供給手段に接続された端末機器の固有の機器情報とが異なる場合に、あらかじめ構成された操作手段と実際の資源供給手段または端末機器の接続状態が異なっていると判定することになり、情報端末は、当初想定した端末機器でない機器が接続されていることを認識することができる。
【００１８】
第９の発明は、第１〜８のいずれか１項記載の資源供給システムの少なくとも一部をコンピュータに実現させるためのプログラムである。そして、プログラムであるのでＣＰＵ（マイコン）、ＲＡＭ、ＲＯＭ、記憶装置、Ｉ／Ｏなどを備えた電気情報機器、コンピュータ、サーバー等のハードリソースを協働させて本発明資源供給システムの少なくとも一部を容易に実現することができる。また記録媒体に記録したり通信回線を用いてプログラムを配信したりすることでプログラムの配布やインストール作業が簡単にできる。
【００１９】
以下本発明の実施の形態について、図面を参照しながら説明する。なお、この実施の形態によって本発明が限定されるものではない。
【００２０】
（実施の形態１）
本発明の実施の形態１の資源供給システムを図面とともに説明する。
【００２１】
実施の形態１の資源供給システムはふろ給湯暖房システムの台所リモコンに用いた例を示す。図１は本発明の実施の形態１の資源供給システムの全体ブロック図、図２〜７はシステムの情報端末等の詳細ブロック図、図８は情報端末である台所リモコンの外観図、図９は操作手段の画面表示図、図１０〜１４は操作手段生成手段のフローチャートである。
【００２２】
図に示すように本実施の形態の資源供給システムは、データを端末に配信するサーバー１、情報端末である台所リモコン２、浴室リモコン３、資源供給手段である熱源機４、熱源機４から供給される温水により部屋の床面を暖房する端末機器である温水床暖房器５、熱源機４から供給される温水により浴室を暖房する端末機器である浴室暖房機６から構成される。
【００２３】
サーバー１はふろ給湯暖房システムの販売元のサーバー設置業者に設置され、台所リモコン２、浴室リモコン３、熱源機４、床暖房機５、浴室暖房機６はふろ給湯機が設置されたふろ給湯機設置住宅に設置される。サーバー１と台所リモコン２とは公衆回線網２０により接続されて相互にデータの送受信が可能となっており、台所リモコン２と浴室リモコン３と熱源機４との間は資源供給手段制御通信手段である熱源機制御通信手段２２により接続されて台所リモコン２及び浴室リモコン３から熱源機４の操作を行なうとともに、台所リモコン２及び浴室リモコン３に熱源機４の運転状況のモニター表示を行なえるようにしている。また、台所リモコン２と浴室リモコン３との間は音声通信手段２１により接続され、台所リモコン２と浴室リモコン３との間で相互に音声を交換するインターフォン機能を実現できる構成となっている。
【００２４】
床暖房器５は床面に埋め込まれて配設される床暖房温水配管５ａと温水の供給を制御する床暖房リモコン５ｂとからなり、また、浴室暖房機６は浴室を暖房する浴室暖房温水配管６ａと温水の供給を制御する浴室暖房リモコン６ｂとからなる。熱源機４と床暖房リモコン５ｂと浴室暖房リモコン６ｂとは機器通信手段２３により接続され、床暖房リモコン５ｂと浴室暖房リモコン６ｂの操作内容や熱源機４の運転状況などの通信を行い、また、熱源機４と床暖房温水配管５ａと浴室暖房温水配管６ａとは熱源機４が生成する温水を供給するための暖房温水配管２６で接続され、床暖房リモコン５ｂや浴室暖房リモコン６ｂの操作により熱源機４から温水を供給する。機器通信手段２３において通信される運転状況の情報等は熱源機制御通信手段２２を通じて台所リモコン２に伝達され、台所リモコン２で床暖房機５や浴室暖房機６の運転状況を確認できるようになっており、さらに、台所リモコン２を操作することにより台所リモコン２から床暖房機５や浴室暖房機６の運転を制御することも可能としている。
【００２５】
上記のうち、サーバー１は図２のように、サーバー１を制御するサーバー制御手段１ａ、サーバー１へデータの入力をしたりサーバー１の操作を行なうサーバー入力手段１ｂ、サーバー１の動作状況など必要な情報を表示するサーバー出力手段１ｃ、データー入力手段１ｂから入力されたり台所リモコン２から受信したデータを記憶するサーバー記憶手段１ｄ、サーバー１と台所リモコン２とを公衆回線網２０を通じて接続するサーバー端末通信手段１ｅとからなる。
【００２６】
また、台所リモコン２は図３のように、台所リモコン２を制御する台所リモコン制御手段２ａ、台所リモコン２を操作する台所リモコン操作手段２ｂ、熱源機４の動作状況など必要な情報を表示する台所リモコン表示手段２ｃ、あらかじめ登録されたデータや台所リモコン２から受信したデータを記憶する台所リモコン記憶手段２ｄ、浴室リモコン３や熱源機４と通信して熱源機の制御を行なうための通信を行なう台所リモコン熱源機通信手段２ｅ、台所リモコン２とサーバー１とを公衆回線網２０を通じて接続する台所リモコンサーバー通信手段２ｆ、外部記憶手段を接続し外部記憶手段と制御手段２ａとの間で相互にデータの入出力を行うための外部記憶入出力手段２ｇ、台所リモコン操作手段２ｂと台所リモコン表示手段２ｃとを用いて熱源機に接続された端末機器の切／入の操作を行うための操作手段である端末機器操作手段２ｈ、端末機器操作手段２ｈを構成するための操作手段構成手段２ｉとからなる。
【００２７】
なお、台所リモコン操作手段２ｂには給湯運転ボタン２ｂａ、ふろ自動ボタン２ｂｂ、通話ボタン２ｂｃ、戻るボタン２ｂｄ、矢印ボタン２ｂｅ、決定ボタン２ｂｆの各ボタンがある。また、外部記憶入出力手段２ｇはＳＤ（Ｓｅｃｕａ  Ｄａｔａ）カードインターフェースを用いている。
【００２８】
また、記憶手段２ｄには熱源機４と接続されてない場合に端末機器の接続情報を仮に記憶させる非接続時設定情報２ｄ１と熱源機３と接続されている場合に熱源機から取得した端末機器の接続情報に基づく接続時設定情報２ｄ２とを記憶させている。
【００２９】
また、端末機器操作手段２ｈは、台所リモコン記憶手段２ｄに記憶され、必要に応じて台所リモコン表示画面２ｃに表示されて台所リモコン操作手段２ｂをもちいて操作することにより該当する端末機器を操作する。
【００３０】
また、浴室リモコン３は図４のように、浴室リモコン３を制御する浴室リモコン制御手段３ａ、浴室リモコン３を操作する呼び出し手段である浴室リモコン操作手段３ｂ、熱源機４の動作状況など必要な情報を表示する浴室リモコン表示手段３ｃ、あらかじめ登録されたデーターや台所リモコン２から受信したデータを記憶する浴室リモコン記憶手段３ｄ、台所リモコン２や熱源機４と通信して熱源機の制御を行なうための通信を行なう浴室リモコン熱源機通信手段３ｅとからなる。
【００３１】
また、熱源機４は図５のように、熱源機４を制御する熱源機制御手段４ａ、台所リモコン２および浴室リモコン３と通信して操作情報の受信や運転状況の送信を行なう熱源機リモコン通信手段４ｂ、熱源機制御手段４ａの指示により温水を生成する熱交換器４ｃ、熱交換器の温水の流量を検出する流量センサ４ｄ、熱交換器４ｃの燃焼の有無を検出する燃焼センサ４ｅ、ふろの湯量を検出するふろ湯量センサ４ｆ、ふろの湯温を検出するふろ湯温センサ４ｇ、床暖房リモコン５ｂや浴室暖房リモコン６ｂと通信して操作情報の受信や運転状況の送信を行う熱源機機器通信手段４ｈ、給湯温水配管２４に接続しカランやシャワーなどに温水を給湯する給湯温水供給手段４ｉ、ふろ温水配管２５に接続しふろの湯沸しや追い炊きを行うふろ温水供給手段４ｊ、暖房温水配管２６に接続し床暖房機５や浴室暖房機６へ温水を供給する暖房温水供給手段４ｋとからなる。なお、熱源機機器通信手段４ｈは床暖房機などの暖房端末を複数接続できるように複数のコネクタ（図示せず）を配置している。
【００３２】
また、暖房温水供給手段４ｋは複数の低温端末接続配管と高温端末接続配管とを持ち、低温端末接続配管には床暖房機などの低温端末、また高温端末接続配管には浴室暖房機や温水エアコンなどの高温端末をそれぞれ接続する。複数の低温端末接続配管はそれぞれに弁が配置されており、配管毎に１対１で対応するコネクタに接続された端末機器からの操作により、対応する低温端末接続配管の弁を開閉できるようになっている。
【００３３】
また、床暖房機５は図６のように、前述のように床暖房温水配管５ａと床暖房リモコン５ｂとからなり、床暖房温水配管５ａは暖房温水配管２６に接続されて温水を通すことにより床面を温める床暖房を行う。床暖房リモコン５ｂは、床暖房の機能を制御する床暖房制御手段５ｂａ、運転状況を表示する床暖房表示手段５ｂｂ、床暖房機能の操作を行う床暖房操作手段５ｂｃ、機器通信手段２３を通じて熱源機４との通信を行う床暖房機器通信手段５ｂｄとからなり、熱源機４の熱源機器通信手段４ｈの複数のコネクタのうち床暖房温水配管５ａに接続された低温端末接続配管に１対１で対応したコネクタに接続され機器通信手段２３を介して通信して制御情報を送信し、床暖房機５への温水の供給を制御する。
【００３４】
なお、床暖房機は暖房運転時には、熱源機４に対して６０℃または７２℃の温水を要求し、熱源機４の低温端末接続用配管に接続される。
【００３５】
また、浴室暖房機６は図７のように、前述のように浴室暖房温水配管６ａと浴室暖房リモコン６ｂとからなり、浴室暖房温水配管６ａは暖房温水配管２６に接続されて温水を通すことにより床面を温める浴室暖房を行う。浴室暖房リモコン６ｂは、浴室暖房の機能を制御する浴室暖房制御手段６ｂａ、運転状況を表示する浴室暖房表示手段６ｂｂ、浴室暖房機能の操作を行う浴室暖房操作手段６ｂｃ、機器通信手段２３を通じて熱源機４との通信を行う浴室暖房機器通信手段６ｂｄとからなり、熱源機４の熱源機器通信手段４ｈの複数のコネクタのうち浴室暖房温水配管５ａに接続された高温端末接続配管に対応するコネクタの一つに接続され機器通信手段２３を介して通信して制御情報を送信し、浴室暖房機６への温水の供給を制御する。なお、床暖房機は暖房運転時には、熱源機に対して８０℃の温水を要求し、熱源機４の高温端末接続用配管に接続される。
【００３６】
以上の構成による作用を示す。熱源機設置住宅の住人が台所で温水を利用する場合、まず台所リモコン操作手段２ｂの給湯運転ボタン２ｂａを押すと、給湯機４が運転を開始させる。運転ボタン２ｂａを押して給湯運転ＯＮさせる指示は、台所リモコン熱源機通信手段２ｅから熱源機制御通信手段２２を通じて熱源機４へ伝達され、熱源機４は熱源機リモコン通信手段４ｂにより受信した給湯運転ＯＮ指示の電文により熱源機制御手段４ａが熱源機の給湯運転をＯＮする。
【００３７】
この状態で、台所の給湯温水のカラン（図示せず）を開くと熱源機の給湯温水路（図示せず）の水路が開き熱源機の給湯温水路に上水道から供給された水が流れ、給湯温水路に設置された流量センサ４ｄが給湯温水路の水流を検出して熱交換器を点火し燃焼による給湯用温水の生成を開始する。熱交換器の燃焼は燃焼センサ４ｅにより検出され、燃焼中であるという情報が熱源機リモコン通信手段４ｂから熱源機制御通信手段２２により台所リモコン２と浴室リモコンに送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに燃焼マークを表示して、熱源機４の給湯燃焼を報知する。
【００３８】
熱交換器４ｃで生成された給湯温水は住宅内の給湯温水配管２４を経て台所のカランから流出する。カランを閉じると、給湯温水配管２４と熱源機４の給湯温水路の水流が停止し、流量センサ４ｄが水流の停止を検出し、熱交換器４ｃを消火し給湯温水の生成を停止する。
【００３９】
燃焼が停止したことを燃焼センサ４ｅが検出すると、燃焼中でないという情報が熱源機リモコン通信手段４ｂから熱源機制御通信手段２２により台所リモコン２と浴室リモコン３に送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに表示されている燃焼マークを消去し、燃焼中でないことを明示する。
【００４０】
一方、ふろを沸かす場合では、台所リモコン操作手段２ｂのふろ自動ボタン２ｂｂを押すと、ふろ自動運転を開始する。ふろ自動ボタン２ｂｂを押してふろ自動運転をＯＮさせる指示は、台所リモコン熱源機通信手段２ｅから熱源機制御通信手段２２を通じて熱源機４へ伝達され、熱源機４は熱源機リモコン通信手段４ｂにより受信したふろ自動ＯＮ指示の電文により熱源機制御手段４ａが熱源機のふろ自動運転を開始する。
【００４１】
ふろ自動では、ふろ湯量センサ４ｆが検出したふろの残り湯の状況に応じて水量が設定水量に足りない場合は給湯温水供給手段４ｉからふろ温水配管２５へ温水を供給しながらあらかじめ設定された水量のお湯を張り、ふろ温水供給手段４ｊにより温水を循環させてふろ湯温をあらかじめ設定された温度に調整し、ふろ湯量センサ４ｆがあらかじめ設定された水量と湯温に到達したことを検出するとお湯張りが完了して保温へ移行する。保温では、ふろ湯温センサ４ｇにより湯温の低下を検出するとふろにたまっているお湯をふろ温水配管２５からふろ温水供給手段４ｊを通じて熱交換器４ｃへ導いて循環させ湯温を上げる追い炊きを行ない、設定された湯温に戻ると追い炊きを停止する、という動作を繰り返し、あらかじめ設定された保温時間の間、この動作を継続する。
【００４２】
このような熱源機４の動作内容は熱源機制御通信手段２２により熱源機４から台所リモコン２および浴室リモコン３へ送信され、台所リモコン２と浴室リモコン３では台所リモコン熱源機通信手段２ｅ、浴室リモコン熱源機通信手段３ｅが受信したデータに基づき、熱源機４の運転状況に応じた表示を台所リモコン表示手段２ｃ、浴室リモコン表示手段３ｃに行なう。
【００４３】
カランから出湯するお湯の温度、ふろ自動で用いるお湯張り水量、温度はあらかじめ台所リモコン２または浴室リモコン３の各リモコン操作手段により入力されて熱源機４へ送信され、熱源機記憶手段４ｌにより設定値を記憶する。浴室リモコン３または台所リモコン２で設定されるたびに熱源機４に送信され、新しい設定値が送信されるたびに設定値を入れ替える。
【００４４】
また、床暖房リモコン５ｂから床暖房機５を操作する場合には、床暖房操作手段５ｂｃを操作して運転を開始すると、運転開始の情報が床暖房機器通信手段５ｂｄにより熱源機４に伝達され、熱源機４では熱源機機器通信手段４ｈが受信した電文に基づいて暖房温水供給手段４ｋを動作させて暖房温水配管２６を経て床暖房温水配管５ａへ温水を供給する。運転の状況は床暖房表示手段５ｂｂへ表示され、床暖の運転状況を確認できる。
【００４５】
また、浴室暖房リモコン６ｂから浴室暖房機６を操作する場合には、浴室暖房操作手段６ｂｃを操作して運転を開始すると、運転開始の情報が浴室暖房機器通信手段６ｂｄにより熱源機４に伝達され、熱源機４では熱源機機器通信手段４ｈが受信した電文に基づいて暖房温水供給手段４ｋを動作させて暖房温水配管２６を経て浴室暖房温水配管６ａへ温水を供給する。運転の状況は浴室暖房表示手段６ｂｂへ表示され、浴室暖房の運転状況を確認できる。
【００４６】
なお、本実施例の資源供給システムでは、床暖房機５と浴室暖房機６の運転状況の表示と運転操作を台所リモコン２からも行えるようにしている。これは、操作手段構成手段２ｉを用いて台所リモコン２に暖房機器の運転状況を表示し操作を実現するための端末機器操作手段２ｈを構成し、操作内容を熱源機制御通信手段２２を通じて台所リモコン２から熱源機４へ伝達し、熱源機４では受信した内容に応じて暖房温水供給手段４ｋを動作させ、さらに機器通信手段２３を通じて熱源機４から床暖房リモコン５ｂや浴室暖房リモコン６ｂへ操作内容を伝達することにより、必要な制御を行って、台所リモコン２からの操作を反映する。
【００４７】
また、床暖房リモコン５ｂや浴室暖房リモコン６ｂで行われた操作についても、機器通信手段２３を通じて熱源機４が受信した内容を台所リモコン２へ転送し、台所リモコン２は、熱源機制御通信手段２２から受信した電文に基づき、表示手段２ｃに暖房機器の運転状況を表示することができる。
【００４８】
次に、台所リモコン２から床暖房機５と浴室暖房機６を操作するための操作手段を台所リモコン２へ構成する方法について説明する。熱源機４に接続される暖房機器は設置される住宅により異なっているため、設置する家庭の状況に合わせて操作手段を構成する必要がある。
【００４９】
本実施例では、台所リモコン２を実際の住宅に設置する前に、設置手段構成手段２ｉを用いてあらかじめ設置予定の床暖房機５や浴室暖房機６、または、温水エアコンや温風ヒーター、パネルヒータといった温水を用いて暖房する端末機器を操作するための情報を非接続時設定情報２ｄ１に仮に入力しておき、台所リモコン２を住宅に設置し熱源機と接続したときに、熱源機が収集した実際に設置され接続された端末機器の接続情報を熱源機から取得して、台所リモコンに入力された非接続時設定情報２ｄ１と熱源機から取得した端末機器の接続情報とを接続時設定情報２ｄ２に反映し台所リモコン２から操作可能な端末機器操作手段２ｈを構成できるようにしている。
【００５０】
構成される端末機器操作手段２ｈは図９のように、台所リモコン表示手段２ｃに表示させる床暖房２ｃａと浴室暖房２ｃｂといった接続された端末機器に対応する表示エリアを持ち、ここに設置された部屋名２ｃａａ、２ｃｂａ、設置された機器名２ｃａｂ，２ｃｂｂ、運転の切／入に応じて色が変わるアイコン２ｃａｃ、２ｃｂｃ、切／入の操作を行う操作アイコン２ｃａｄ、２ｃｂｄを配置して構成されている。操作アイコンは台所リモコン操作手段２ｂを用い、移動ボタン２ｂｅによりカーソルを移動させて操作する操作アイコンに合わせ、決定ボタン２ｂｆを押すことにより操作する。
【００５１】
画面上に生成するボタンを接続された端末機器の一つに割り当て、そのボタンが操作されたときに熱源機制御通信手段２２を通じて熱源機４に操作内容を伝達し、熱源機４では受信した内容に基づき、機器通信手段２３を通じて割り当てられた端末機器に操作内容を伝達し、端末機器が受信した内容に基づいて機器の運転を変更する。
【００５２】
図１０〜１４に操作手段構成手段２ｉが端末機器操作手段２ｈを構成する際のフローチャートを示す。
【００５３】
図１０では、まず、台所リモコン２から熱源機４に対し通信電文を送信し（５１）、熱源機４から受信電文が返信されて熱源機との通信が確立されるかどうかを調べ（５２）、通信が確立できず熱源機４と通信できない場合には非接続時設定（５３）へ進み、通信が確立されて熱源機４との通信が可能な場合には、接続時設定（５６）へ進む。なお、接続時設定に進む際には、非接続時設定がなされているかを確認（５４）し、非接続設定がなされている場合にはその設定が実際の接続状態と整合しているかを確認するために非接続時設定の確認（５５）を行い必要な処理を行っている。
【００５４】
非接続時設定（５３）では、図１１に示すように、まず、非接続時設定であることを台所リモコン２の表示手段２ｃに表示（５３ｂ）し、次に接続する端末機器の数を入力して（５３ｃ）、入力された端末の数の一覧表を表示し（５３ｄ）、この一覧表に端末機器の種類と端末機器を操作するために必要な情報を入力していく。一覧表は熱源機のコネクタの番号順で構成されており、ここで必要な処理を選択する（５３ｅ）。必要な情報の入力は、まず入力するコネクタの番号を選択して（５３ｇ）そのコネクタに接続する機器の処理選択画面を表示させ（５３ｈ）、そこで操作者の選択に応じて機器の種類の選択（５３ｊ）、機器のＩＤの入力（５３ｋ）、設置する部屋の選択（５３ｌ）、表示させるアイコンの選択（５３ｍ）、操作手段を表示する表示位置の選択（５３ｎ）を行い、それぞれの設定ごとに非接続設定情報を更新する（５３ｐ）。
【００５５】
端末毎に入力が終わると決定ボタンを押し、機器一覧表示の処理選択（５３ｅ）へ戻る（５３ｏ）。機器一覧の処理選択（５３ｅ）では上記の端末番号選択のほかに、各端末の操作手段がどのように表示されるかを確認できるようにするために、プレビューの機能があり、これにより構成された端末機器操作手段２ｈを表示させ確認することができる（５３ｍ）。
【００５６】
プレビューにより修正があれば端末番号選択（５３ｇ）から再び各設定を修正し、修正が不要であればプレビューを閉じて、処理選択（５３ｉ）にて終了を選択して非接続設定を終了する（５３ｆ）。
【００５７】
接続時で非接続時設定がなされている場合に行う非接続時の確認５５は、図１２に示すように、まず、熱源機から接続端末情報取得（５５ｂ）を行い、熱源機のコネクタ１を指定（５５ｃ）して不一致の確認（５７、５５ｄ）を行う。そして次のコネクタに進み同様に不一致の確認を行う全てのコネクタの確認が終了（５５ｅ）すると、全端末で不一致がなかった場合にはそのまま処理を終了（５５ｈ）し、一つでも不一致があった場合には（５５ｆ）台所リモコン２の表示手段２ｃに全体として不一致の端末が存在することを表示して、処理を終了する。
【００５８】
接続時設定５６では、図１３に示すように、まず台所リモコン２の表示手段２ｃに接続時設定であることを示す表示を行い（５６ｂ）、熱源機４と通信して熱源機４に接続された端末機器の接続情報を取得し（５６ｃ）、もし端末機器が無ければ（５６ｄ）、その旨のメッセージを出力（５６ｅ）して終了し、端末機器が接続されていれば、端末機器詳細情報取得により個々の端末機器の接続情報を取得する（５６ｆ）。
【００５９】
ここで取得する接続情報の内容は、接続位置情報である熱源機のコネクタ番号、番号毎の端末機器接続の有無、端末機器の機種または機器に固有の識別ＩＤと、端末が使用する温水温度の情報、試運転済みか否かを示す符号、接続された年月日である。接続情報の内容を（表１）に示す。
【００６０】
【表１】
2005180837.tif 000003
次に、非接続時と同様に端末機器の一覧表を表示し（５６ｇ）する。ここで全体に不一致がないかを確認（５６ｈ）し一つの端末機器でも不一致があれば台所リモコン２の表示手段２ｃに表示して不一致の端末が存在することを報知する（５６ｉ）。次に表示された一覧表に端末機器の種類と端末機器を操作するために必要な情報を入力していく。一覧表は熱源機のコネクタの番号順で構成されており、ここで必要な処理を選択する（５６ｊ）。
【００６１】
必要な情報の入力は、まず入力するコネクタの端末番号を選択して（５６ｋ）、そのコネクタに接続する機器の処理画面を表示させ（５６ｌ）、そこで機器の種類の選択（５６ｍ）、設置する部屋の選択（５６ｎ）、表示させるアイコンの選択（５６ｏ）、操作手段を表示する表示位置の選択（５６ｐ）を行い、それぞれの設定ごとに非接続設定情報を更新（５６ｒ）するとともに、さらに設定された内容と接続機器との間に不一致がないかを確認する不一致確認（５７）を行ない、不一致があると不一致を表示して、処理選択（５６ｌ）に戻る。
【００６２】
端末毎に入力が終わると決定ボタンを押し、再び全端末の不一致判定（５６ｈ）に戻り、不一致の判定を行った後機器一覧表示の処理選択（５６ｊ）へ戻る（５６ｑ）。
【００６３】
機器一覧の処理選択画面（５６ｈ）では上記の端末番号選択のほかに、各端末の操作手段がどのように表示されるかを確認できるようにするために、プレビューの機能があり、これにより操作手段を表示させ確認することができる（５６ｓ）。プレビューにより修正があれば端末番号選択（５６ｋ）から再び各設定を修正し、修正が不要であればプレビューを閉じて処理選択（５６ｊ）にて終了選択し（５６ｔ）、終了してよいかを確認（５６ｕ）した上でＯＫを選択した場合に非接続設定情報を接続設定情報に反映して（５６ｖ）接続設定を終了（５６ｗ）し、終了確認（５６ｕ）でＮｏを選択した場合は処理選択（５６ｊ）に戻り、表示設定を継続できる。
【００６４】
また、非接続時の確認（５５）と接続時設定（５６）の中で行われる不一致処理（５７）は、熱源機のコネクタ毎に行われる。図１４に示すように、まず端末接続比較（５７ｂ）により対象のコネクタに端末機器が接続されているかどうかを確認し、熱源機が持つ複数のコネクタのうちどのコネクタにどの機器が接続されいているかを示す接続位置情報から一致と不一致を確認する。複数のコネクタのうち正しいコネクタに接続されているか否かの判定であり、熱源機２から取得した情報から得られるコネクタの接続位置と表示設定が一致しているかを確認するものである。
【００６５】
ここでは、非接続設定で表示設定が行われていて実際に端末機器が接続されている場合と、非接続設定で表示設定が行われておらず実際に端末機器が接続されてない場合とを一致しているとみなして端末接続一致（５７ｃ）に進む。
【００６６】
一方、接続設定で表示設定が行われているのに実際に端末機器が接続されていない場合と、非接続設定で表示設定が行われていないのに実際に端末機器が接続されている場合とを不一致とみなして端末接続不一致に進む（５７d）。これらは端末接続一致フラグとして処理され、端末接続一致の場合、端末接続一致フラグ＝Ｌ、不一致のとき端末接続一致フラグ＝Ｈとしている。
【００６７】
次に、端末接続の有無により処理を変更し（５７ｅ）、端末接続無しの場合は不一致有無の判定（５７ｍ）へ進み、端末接続ありの場合は端末詳細情報取得（５７ｆ）へ進む。
【００６８】
端末機器詳細情報取得（５７ｆ）では端末機器詳細情報取得（５６ｆ）と同様に熱源機から端末機器の接続情報を取得し、この情報を元に不一致の判定を行う。まず、端末種別比較（５７ｇ）により非接続表示設定で設定された内容と実際に接続された端末とに不一致がないかを確認する。ここでは低温端末接続配管に接続すべき機器と高温端末接続配管に接続すべき機器とを区別し、正しく接続されているか否かを確認している。
【００６９】
非接続設定で低温端末接続配管に接続すべき機器が設定されていて実際にその端末が接続されている場合と、非接続設定で高温端末接続配管に接続すべき機器が設定されていて実際にその端末が接続されている場合とを一致しているとみなして端末種別一致（５７ｃ）に進む。
【００７０】
一方、非接続設定で低温端末接続配管に接続すべき機器が設定されているのに実際には高温端末接続配管に接続すべき端末機器が接続されている場合と、非接続設定で高温端末接続配管に接続すべき機器が設定されているのに実際には低温端末接続配管に接続すべき機器が接続されている場合とを不一致とみなして端末種別不一致に進む。これらは端末種別一致フラグとして処理され、端末種別一致の場合、端末種別一致フラグ＝Ｌ、不一致のとき端末種別一致フラグ＝Ｈとしている。
【００７１】
次に端末ＩＤ比較（５７ｊ）に進み、非接続表示設定で設定された端末ＩＤと実際に接続された端末機器の端末ＩＤとを比較して一致しているかを調べる。端末ＩＤは機器に固有の情報として保存されているものであり、これを比較することにより接続相手をより正確に認識することができる。両者が一致している場合には端末ＩＤ一致（５７ｋ）へ進み、一致してない場合には端末ＩＤ不一致（５７ｌ）へ進む。ここでも端末ＩＤ一致フラグとして処理され、端末ＩＤ一致の場合、端末ＩＤ一致フラグ＝Ｌ、不一致のとき端末ＩＤ一致フラグ＝Ｈとしている。
【００７２】
以上の処理が終わると各端末機器毎の不一致の判定を行い（５７ｍ）、不一致ありの場合に端末機器毎に不一致を示す表示を台所リモコン２の表示手段２ｃに表示する。
【００７３】
このような構成とすることにより、非接続時に設定された表示設定を接続時に確認することができ、正しい表示設定であるかどうかを確認することができる。また、確認結果を台所リモコン２の表示手段２ｃに表示するので、不一致の有無を視覚的に明確にすることができる。さらに、表示設定全体においての不一致の有無と各端末ごとの不一致の有無とを表示するので、全体として不一致がなくなったことと不一致がある場合にどの端末が不一致かを明確にすることができる。
【００７４】
さらに、不一致として、表示手段に指定された熱源機のコネクタに端末機器が接続されてない場合、または、表示手段に指定された端末機器と熱源機に接続された端末機器との端末種別が異なる場合、または、表示手段に指定された端末ＩＤと熱源機に接続された端末機器の端末ＩＤとが異なる場合を不一致として表示手段に表示するので、指定された接続位置に端末機器が接続されてない場合や、端末機器の種別が異なり操作手段から正しく機器を操作できない場合や、固有の機器情報が異なる機器が接続され台所リモコン２に設定された操作手段の機能を正しく使用できない場合に容易に不一致を知ることができる。
【００７５】
なお、本実施の形態では接続時設定における接続時情報に反映５６ｖの段階で、不一致となった端末機器は台所リモコン２から操作できないようにしている。これは、表示設定と端末機器とが不一致の場合に台所リモコン２から操作して熱源機２に不要な負荷を与えないようにするためである。このとき、操作アイコン２ｃａｄ、２ｃｂｄは操作できない色で表示され、操作された場合でも、操作できないことを示す警告表示を表示手段２ｃに表示する。
【００７６】
上記の５３ｉ〜５３ｎおよび５６ｌ〜５６ｐによる操作手段の入力や修正は自動設定のルーチンで設定された表示位置やアイコン、機器名を修正したい場合に、あらかじめ記憶手段に記憶された内容から選択して表示を変えることができるようにしている。
【００７７】
なお、非接続設定、接続設定ともに、あらかじめ記憶された情報がある場合には、記憶された情報にもとづいて機器の種類、機器ＩＤ、部屋名、アイコン、表示位置が記憶されており、５３ｉ〜５３ｎおよび５６ｌ〜５６ｐによる操作手段の入力は、この記憶された内容を修正することにより行うことになる。
【００７８】
なお、本実施例の資源供給システムでは、不一致となった端末機器は台所リモコン２から操作できないようにしているが、それだけでなく、不一致の操作手段を消去させてもよい。消去させることにより確実に操作できないようにできる上、不要な表示を削除することができる。
【００７９】
また、不一致があっても情報端末が不一致の端末機器を入替えて不一致がなくなる組み合わせを探し修正する構成であってもよい。この修正は、工事の都合上接続するコネクタを当初予定していたコネクタから変更する場合に有用である。例えば、非接続時設定において設定された操作手段に対応するコネクタに対し接続時に端末が接続されてない場合に、端末種別と端末ＩＤが一致する端末機器が別のコネクタに接続されている場合に、自動的に修正することができる。これによって、不一致があっても適切な端末機器の操作手段として構成することができる。
【００８０】
また、本実施例の資源供給システムでは、外部記憶手段２ｇとしてＳＤカードを用いているが、情報端末から必要なデータをコピーして取り出すことができ、これを他の情報端末にコピーすることができる外部記憶手段であれば、ＳＤカードに限らず、フロッピー（Ｒ）ディスク、ＭＯなど別の手段を用いてもよい。
【００８１】
また、本実施例の資源供給システムでは、熱源機制御通信手段２２と情報通信手段１０との２種の通信手段を分離して記載しているが、これらを物理的に同一の線を用いて周波数や時間、パケット等で分離して通信する構成としてもよい。
【００８２】
また、本実施例の資源供給システムは、給湯暖房システムの台所リモコン、床暖房機、浴室暖房機を例として表記しているが、家庭内、事務所内等で電気、温水、ガス、水などを供給するシステムにおいて端末機器を遠隔操作できるシステムであればいかなる用途であっても適用できる。
【００８３】
上記実施例に述べた資源供給システムにより、温水に限らず、電力、ガス、水力などの資源を端末機器に供給し利用するシステムにおいて、情報端末から端末機器を操作するための操作手段を構成することができ、使いやすい資源供給システムを提供できる。
【００８４】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００８５】
以上のように本発明にかかる資源供給システムおよびそのプログラムは、情報端末が資源供給手段の情報を取得できない状態で構成された操作手段と、実際の資源供給手段または端末機器の接続状態が異なっていた場合でも誤った操作を行うことがないので、温水を用いた給湯暖房システムに限らず、電力、ガス、水力、石油燃料などの資源を端末機器に供給し利用するシステムにおいても利用可能である。
【図面の簡単な説明】
【００８６】
【図１】本発明の実施の形態１における資源供給システムの概要ブロック図
【図２】同システムのサーバーの詳細ブロック図
【図３】同システムの台所リモコン（情報端末）の詳細ブロック図
【図４】同システムの浴室リモコンの詳細ブロック図
【図５】同システムの熱源機の詳細ブロック図
【図６】同システムの床暖房機の詳細ブロック図
【図７】同システムの浴室暖房機の詳細ブロック図
【図８】同システムの台所リモコン（情報端末）の外観図
【図９】同システムの操作手段の画面表示図
【図１０】同システムの操作手段生成の主要フローチャート
【図１１】同システムの操作手段生成の非接続時設定の詳細フローチャート
【図１２】同システムの操作手段生成の接続時の非接続設定内容確認の詳細フローチャート
【図１３】同システムの操作手段生成の接続時設定の詳細フローチャート
【図１４】同システムの操作手段生成の接続時の不一致確認の詳細フローチャート
【図１５】従来の暖房給湯システムのフローチャート
【符号の説明】
【００８７】
２  台所リモコン（情報端末）
２ｈ  端末機器操作手段（操作手段）
２ｉ  操作手段構成手段
４  熱源機（資源供給手段）
５  温水暖房機（端末機器）
６  浴室乾燥暖房機（端末機器）
２２  熱源機制御通信手段（資源供給手段制御通信手段）
【図１】
2005180837.tif 000004
【図２】
2005180837.tif 000005
【図３】
2005180837.tif 000006
【図４】
2005180837.tif 000007
【図５】
2005180837.tif 000008
【図６】
2005180837.tif 000009
【図７】
2005180837.tif 000010
【図８】
2005180837.tif 000011
【図９】
2005180837.tif 000012
【図１０】
2005180837.tif 000013
【図１１】
2005180837.tif 000014
【図１２】
2005180837.tif 000015
【図１３】
2005180837.tif 000016
【図１４】
2005180837.tif 000017
【図１５】
2005180837.tif 000018